(57)【要約】【課題】吸収量を増やし、粘膜部を刺激せず、尿等を堰き止め、装着者に対する装着性や固定性を向上でき、陰部皮膚の衛生環境を維持できる吸収体を提供する。【解決手段】吸収体１は、矩形状の吸収シート１の四辺をこの四辺に沿ってそれぞれ折り畳んで形成されて、着用者の陰股部皮膚に密着する外枠壁部２０を備える。吸収シート１の長手方向の中央を幅方向に沿って折り畳んで形成されて、着用者の陰股部皮膚に密着する中央壁部３０を備える。【選択図】図１
2018057521.tif 000002
【特許請求の範囲】
【請求項１】
矩形状の吸収シートの四辺をこの四辺に沿ってそれぞれ折り畳んで形成されて、着用者の陰股部皮膚に密着する外枠壁部を備えることを特徴とする吸収体。
【請求項２】
前記吸収シートは、長手方向の両端において幅方向の中央から長手方向の外側に延出する延出部を有し、
前記外枠壁部のうち、幅方向に延在する横壁は、前記延出部を折り畳んで形成されることを特徴とする請求項１に記載の吸収体。
【請求項３】
前記外枠壁部の間に形成される凹部が装着者の陰部と肛門を覆うことを特徴とする請求項１または２に記載の吸収体。
【請求項４】
前記吸収シートの長手方向の中央を幅方向に沿って折り畳んで形成されて、着用者の陰股部皮膚に密着する中央壁部を備えることを特徴とする請求項１から３のうちいずれか一項に記載の吸収体。
【請求項５】
前記吸収シートは、長手方向の中央において幅方向の両端から幅方向の内側に向かう一対の切込部を有し、
前記中央壁部は、前記切込部同士の間の切残部を折り畳んで形成されることを特徴とする請求項４に記載の吸収体。
【請求項６】
前記吸収シートを折り畳んだ状態を維持する粘着テープを備えることを特徴とする請求項１から５のうちいずれか一項に記載の吸収体。
【請求項７】
請求項１から６のいずれか一項に記載の吸収体と、
前記吸収体を保持する不織布と、
を備えることを特徴とする吸収性物品。
【発明の詳細な説明】
【技術分野】
【０００１】
本発明は、吸収体および吸収性物品に関する。
【背景技術】
【０００２】
紙おむつ、尿取りパッド、経血吸収パッドなどの吸収性物品は、着用者から排出される尿や軟便、経血、おりもの等の各種体液を吸収する吸収体を備えている。
吸収体は、おむつやパンツの股部（クロッチ）に配置されて、尿や軟便等を吸収するシート体である。吸収体は、着用者の股部を覆うシート状に形成される。
【先行技術文献】
【特許文献】
【０００３】
【特許文献１】特開２００１-１９０５８１号公報
【発明の概要】
【発明が解決しようとする課題】
【０００４】
従来の吸収体（吸収シート）は、おむつやパンツの形状（股部の幅等）に合わせて形成されている。このため、尿等の吸収量が限られてしまうことがある。
また、吸収シート自体には、尿等が溢れたり、漏れたりしないように、尿等を堰き止める機能はない。このため、吸収シートの周囲にギャザー等を設ける必要がある。
吸収シートは、平坦な形状であるため、陰部や肛門の粘膜に触れて、摩擦で刺激してしまうことがある。このため、必ずしも装着者に対する装着性や固定性は良好ではない。
【０００５】
また、従来の吸収体では、尿と糞が触れると、微生物の繁殖や刺激物質の生成により悪臭を放つようになる。これらの誘引となり、皮膚障害と合わせ股部皮膚の衛生環境を悪化してしまう。
【０００６】
本発明は、吸収量を増やし、粘膜部を刺激せず、尿等を堰き止め、装着者に対する装着性や固定性を向上できる吸収体および吸収性物品を提供する。また、陰部皮膚の衛生環境を維持できる吸収体および吸収性物品を提供する。
【課題を解決するための手段】
【０００７】
本発明に係る吸収体の第一実施態様は、矩形状の吸収シートの四辺をこの四辺に沿ってそれぞれ折り畳んで形成されて、着用者の陰股部皮膚に密着する外枠壁部を備えることを特徴とする。
【０００８】
本発明に係る吸収体の第二実施態様は、第一実施態様において、前記吸収シートは、長手方向の両端において幅方向の中央から長手方向の外側に延出する延出部を有し、前記外枠壁部のうち、幅方向に延在する横壁は、前記延出部を折り畳んで形成されることを特徴とする。
【０００９】
本発明に係る吸収体の第三実施態様は、第一または第二実施態様において、前記外枠壁部の間に形成される凹部が装着者の陰部と肛門を覆うことを特徴とする。
【００１０】
本発明に係る吸収体の第四実施態様は、第一から第三実施態様のいずれかにおいて、前記吸収シートの長手方向の中央を幅方向に沿って折り畳んで形成されて、着用者の陰股部皮膚に密着する中央壁部を備えることを特徴とする。
【００１１】
本発明に係る吸収体の第五実施態様は、第四実施態様において、前記吸収シートは、長手方向の中央において幅方向の両端から幅方向の内側に向かう一対の切込部を有し、前記中央壁部は、前記切込部同士の間の切残部を折り畳んで形成されることを特徴とする。
【００１２】
本発明に係る吸収体の第六実施態様は、第一から第五実施態様のいずれかにおいて、前記吸収シートを折り畳んだ状態を維持する粘着テープを備えることを特徴とする。
【００１３】
本発明に係る吸収性物品の実施態様は、第一から第六実施態様のいずれかの吸収体と、前記吸収体を保持する不織布と、を備えることを特徴とする。
【発明の効果】
【００１４】
本発明に係る吸収体は、吸収シートの四辺を折り畳んだ外枠壁部を備えるので、吸収量を容易に増やすことができる。外枠壁部が吸収シートの四辺を取り囲むので、粘膜部を刺激せず、尿等を堰き止めることができる。また、外枠壁部が装着者の股部皮膚に密着するので、装着性や固定性が向上する。
本発明に係る吸収体は、中央壁部が着用者の会陰部皮膚に密着するので、排泄物の前後方向の移動を阻止する。このため、尿が糞に触れて雑菌が急激に繁殖することを防止し、悪臭を抑えて、股部皮膚の衛生環境を維持できる。
本発明に係る吸収性物品は、このような吸収体を備えるので、吸収量を増やし、粘膜部を刺激せず、尿等を堰き止め、装着者に対する装着性や固定性を向上できる。また、陰部皮膚の衛生環境を維持できる。
【図面の簡単な説明】
【００１５】
【図１】本発明の実施形態に係るの吸収体１を示す斜視図である。
【図２】本発明の実施形態に係るの吸収体１を示す正面図である。
【図３】本発明の実施形態に係るの吸収体１を示すＡ−Ａ断面図である。
【図４】本発明の実施形態に係るの吸収体１を示すＢ−Ｂ断面図である。
【図５】本発明の実施形態に係るの吸収体１を示す背面図である。
【図６】本発明の実施形態に係るの吸収体１を示す展開図である。
【図７】本発明の実施形態に係るの吸収体１の組立図である。
【発明を実施するための形態】
【００１６】
本発明の実施形態に係る吸収体１および吸収性物品Ｐについて説明する。
以下では、吸収体１および吸収性物品Ｐの長手方向を縦、短手方向を横、厚み方向を高さともいう。
【００１７】
いわゆる尿取りパッドや経血吸収パッド等の吸収性物品Ｐは、パンツの股部の内側に取り付けられて尿等を吸収する。吸収性物品Ｐは、細長い矩形状に形成された吸収体１を備える。
吸収性物品Ｐは、着用者の下腹部から会陰部を経て臀部を覆う不織布（不図示）を有し、この不織布の内側に吸収体１が配置（保持）される。不織布の外側には防水材が配置される。
【００１８】
吸収体１は、吸収シート３からなり、着用者の下腹部を覆う前方部１１、腰臀部を覆う後方部１２、陰股部を覆う股下部１３を有する。吸収体１は、陰部付近から肛門部付近を覆う。
【００１９】
前方部１１と後方部１２は、着用者の前後方向（長手方向）に延びる帯状（矩形）の形状を有する。前方部１１は、着用者の陰部よりも上方まで延びる。後方部１２は、着用者の肛門よりも上方まで延びる。
股下部１３は、前方部１１と後方部１２の間に配置される。
【００２０】
吸収体１は、外枠壁部２０と中央壁部３０を備える。
外枠壁部２０は、吸収シート３の内面の外周縁に沿って形成される。つまり、外枠壁部２０は、吸収体１の外枠となる。
外枠壁部２０は、前方縦壁２２、後方縦壁２４、前方横壁２６および後方横壁２８からなる。
【００２１】
前方縦壁２２と後方縦壁２４は、吸収シート３の二つの長辺（幅方向の両端）に沿ってそれぞれ延在する。前方縦壁２２が前方部１１の長辺に配置され、後方縦壁２４が後方部１２の長辺に配置される。前方縦壁２２と後方縦壁２４は、密着配置される。
前方横壁２６と後方横壁２８は、吸収シート３の二つの短辺（長手方向の両端）に沿ってそれぞれ延在する。前方横壁２６が前方部１１の短辺に配置され、後方横壁２８が後方部１２の短辺に配置される。前方横壁２６は、二つの前方縦壁２２の間に密着配置される。後方横壁２８は、二つの後方縦壁２４の間に密着配置される。
前方縦壁２２と後方縦壁２４は、一定幅の同一形状を有する。前方横壁２６と後方横壁２８は、一定幅の同一形状を有する。前方縦壁２２、後方縦壁２４、前方横壁２６および後方横壁２８は、一定高さを有する。
【００２２】
中央壁部３０は、吸収シート３の長手方向の中央において幅方向に沿って形成される。中央壁部３０は、二つの前方縦壁２２と二つの後方縦壁２４の間に密着配置される。つまり、中央壁部３０は、股下部１３に配置されて、外枠壁部２０を前後に区画する。
中央壁部３０は、後方縦壁２４および前方横壁２６と同一形状を有する。中央壁部３０は、前方横壁２６等と同一高さを有する。
【００２３】
前方部１１には、前方縦壁２２、前方横壁２６および中央壁部３０に囲まれた前方凹部１５が形成される。
後方部１２には、後方縦壁２４、後方横壁２８および中央壁部３０に囲まれた後方凹部１６が形成される。
【００２４】
図６は吸収体１を示す展開図、図７は吸収体１の組立図であり、図６および図７に表された一点鎖線は谷折り、二点鎖線は山折り線線である。
【００２５】
吸収体１は、一枚の吸収シート３を折り畳んで形成される。すなわち、外枠壁部２０と中央壁部３０は、一枚の吸収シート３の一部を折り畳んで形成される。
吸収シート３は、もともと略長方形状の一枚のシートである。吸収シート３は、平面状に広げると、前方縦辺部２１、後方縦辺部２３、前方延出部２５、後方延出部２７、一対の切込部３１、切残部３２等を有する。
前方延出部２５と後方延出部２７は、吸収シート３の長手方向の両端において幅方向の中央から長手方向の外側に延出する部位である。
切込部３１は、吸収シート３の長手方向の中央において幅方向の両側から幅方向の内側に向かって切り込まれた部位である。
切残部３２は、一対の切込部３１同士の間の部位である。
【００２６】
前方縦壁２２は、前方縦辺部２１を長手方向に沿って、谷折りと山折りをそれぞれ一回ずつ、同一幅で行って（折り畳んで）形成される。前方縦辺部２１には、粘着テープ（不図示）が設けられおり、この粘着テープにより折り畳んだ状態を維持できる。
後方縦壁２４は、後方縦辺部２３を長手方向に沿って、谷折りと山折りをそれぞれ一回ずつ、同一幅で行って（折り畳んで）形成される。後方縦辺部２３にも、粘着テープ（不図示）が設けられ、折り畳んだ状態を維持できる。
前方横壁２６は、前方延出部２５を幅方向に沿って、谷折りと山折りをそれぞれ一回ずつ、同一幅で行って（折り畳んで）形成される。前方延出部２５にも、粘着テープ（不図示）が設けられ、折り畳んだ状態を維持できる。
後方延出部２７は、後方延出部２７を幅方向に沿って、谷折りと山折りをそれぞれ一回ずつ、同一幅で行って（折り畳んで）形成される。後方延出部２７にも、粘着テープ（不図示）が設けられ、折り畳んだ状態を維持できる。
中央壁部３０は、切残部３２を幅方向に沿って、谷折り、山折り、谷折りの順に、同一幅で行って（折り畳んで）形成される。切残部３２にも、粘着テープ（不図示）が設けられ、折り畳んだ状態を維持できる。
【００２７】
吸収性物品Ｐを装着するときは、吸収体１の前方部１１、後方部１２および股下部１３で、着用者の下腹部、腰臀部、陰股部をそれぞれ覆う。
前方部１１を陰部の周囲に密着させて、前方凹部１５により陰部を覆う。後方部１２を肛門部の周囲に密着させて、後方凹部１６で肛門部を覆う。また、中央壁部３０を会陰部に密着させる。
そして、パンツを穿いて、吸収性物品Ｐに被せる。
吸収性物品Ｐの外面にテープが設けられており、このテープにより吸収性物品Ｐをパンツの内側に固定する。
【００２８】
吸収体１は、吸収シート３の四辺を折り畳んだ外枠壁部２０を備えるので、吸収量を容易に増やすことができる。すなわち、外枠壁部２０の幅や高さを容易に増減できるので、吸収量を任意に設定することができる。
また、外枠壁部２０が吸収シート３の四辺を取り囲むので、陰部や肛門部を避けて装着できる。つまり、前方凹部１５と後方凹部１６が陰部と肛門を覆うので、粘膜との摩擦を回避でき、粘膜部を摩擦で刺激しない。
また、前方凹部１５と後方凹部１６に溜まった尿等が外枠壁部２０に堰き止められて、吸収シート３（外枠壁部２０を含む）に吸収されるので、尿等が溢れたり、漏れたりすることを防止できる。
さらに、外枠壁部２０が装着者の股部皮膚（陰股部皮膚）に密着するので、装着性や固定性が向上する。
【００２９】
また、吸収体１は、中央壁部３０が着用者の会陰部皮膚に密着するので、排泄物の前後方向の移動を阻止する。つまり、前方凹部１５に溜まった尿は、中央壁部３０に堰き止められて、吸収シート３（中央壁部３０を含む）に吸収される。
このため、尿が後方凹部１６まで移動して、吸収シート３に付着した糞に触れることが抑止される。したがって、尿と糞が触れて雑菌が急激に繁殖することがなく、悪臭が抑えられて、股部皮膚の衛生環境を維持できる。
【００３０】
吸収性物品Ｐは、このような吸収体１を備えるので、吸収量を増やし、粘膜部を刺激せず、尿等を堰き止め、装着者に対する装着性や固定性を向上できる。また、陰部皮膚の衛生環境を維持できる。
【００３１】
本発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００３２】
外枠壁部２０（前方縦壁２２等）と中央壁部３０は、幅や高さを任意に設定できる。つまり、吸収シート３の折り畳み幅や回数は、任意に設定できる。
外枠壁部２０（前方縦壁２２等）と中央壁部３０は、高さ方向において幅が一定の場合に限らない。例えば、吸収シート３の折り幅を徐々に狭くなるようにしてもよい。例えば、山折りと谷折りの折り幅を異ならせてもよい。
前方縦壁２２と後方縦壁２４は、長手方向において幅が一定の場合に限らない。例えば、股下部１３に向けて、徐々に幅が広くなるようにしてもよい。
【００３３】
中央壁部３０は、吸収シート３の長手方向の中央に配置される場合に限らない。すなわち、前方部１１と後方部１２の長手方向の長さが同一の場合に限らない。前方部１１を後方部１２よりも長くしたり、前方部１１を後方部１２よりも短くしたりしてもよい。
【００３４】
上述した実施形態では、吸収性物品Ｐがいわゆる尿取りパッドや経血吸収パッドの場合（吸収体１が尿取りパッド等を構成する場合）について説明したが、これに限らない。吸収性物品Ｐは、紙おむつの場合（吸収体１が紙おむつを構成する場合）であってもよい。
【符号の説明】
【００３５】
１  吸収体    ３  吸収シート    １１  前方部    １２  後方部    １３  股下部    １５  前方凹部    １６  後方凹部    ２０  外枠壁部    ２１  前方縦辺部    ２２  前方縦壁    ２３  後方縦辺部    ２４  後方縦壁    ２５  前方延出部    ２６  前方横壁    ２７  後方延出部    ２８  後方横壁    ３０  中央壁部    ３１  切込部    ３２  切残部    Ｐ  吸収性物品    
【図１】
2018057521.tif 000003
【図２】
2018057521.tif 000004
【図３】
2018057521.tif 000005
【図４】
2018057521.tif 000006
【図５】
2018057521.tif 000007
【図６】
2018057521.tif 000008
【図７】
2018057521.tif 000009